(57)【特許請求の範囲】
【請求項１】
幅方向に対して傾斜した搬送面を有し、受取った雑誌や書籍類を搬送する受用搬送装置（４）を備えた雑誌書籍類の整列装置において、受用搬送装置（４）の出側に、重なった状態で送られてきた雑誌や書籍類の重なりを解除する雑誌書籍類重送解除装置（３８）を設けており、
当該雑誌書籍類重送解除装置（３８）が、雑誌や書籍類に停止力を付与するよう、ブラシ毛（４６）を下端に植設したブラシ本体（４３）を、整列装置（１）のフレームに固定された重送解除装置本体（４１）に回動中心ピン（４２）を介し上下方向に回動自在に枢支し、さらにブラシ本体（４３）上部と重送解除装置本体（４１）との間に、ブラシ本体（４３）を受用搬送装置（４）の上流側へ向かって下方回動するよう付勢する重送解除力調整用弾性体（４４）を介装する構成であり、
当該ブラシ本体（４３）が、下端部が下流側へ向くよう斜めに配設されて受用搬送装置（４）により搬送された雑誌や書籍類を斜め方向からブラシ毛（４６）で押えるように構成されたことを特徴とする雑誌書籍類の整列装置。
【請求項２】
ブラシ毛（４６）が、受用搬送装置（４）の搬送面に対して、ブラシ本体（４３）の下方回動を規制するストッパ（４５）により非接触状態に配設された請求項１に記載の雑誌書籍類の整列装置。
【請求項３】
ブラシ毛（４６）は、上流側の部分に毛足の短いものを使用して段差部（４７）を備えている請求項２に記載の雑誌書籍類の整列装置。
【請求項４】
受用搬送装置（４）に、下側の雑誌や書籍類を押す押部材を取付けた請求項１乃至３いずれかに記載の雑誌書籍類の整列装置。
【請求項５】
受用搬送装置（４）がベルトコンベヤであり、押部材が受用搬送装置（４）のコンベヤベルト（１１）に所定の間隔を置いて突設形成した横棧（４８）である請求項４に記載の雑誌書籍類の整列装置。
【発明の詳細な説明】
【０００１】
【発明の属する技術分野】
本発明は、雑誌書籍類の整列装置に関するものである。より詳しくは、効果的に雑誌や書籍類の重送を防止し得るようにした雑誌書籍類の整列装置に関するものである。
【０００２】
【従来の技術】
雑誌や書籍類は、発送する際に送り先ごとに仕分けが行われる。
【０００３】
又、雑誌や書籍類は、返品されたものが集められた際に、古紙再生などのために紙質に応じた仕分けなどが行われる。
【０００４】
上記雑誌や書籍類の仕分けは、先ず、人又は切出装置によって、雑誌や書籍類を整列装置へ送り、整列装置で雑誌や書籍類を一冊ずつに整列し、整列された雑誌や書籍類に付けられたバーコードを読取装置で読取り、読取られたバーコードの情報に従って仕分装置で雑誌や書籍類を自動的に仕分けるようにしている。
【０００５】
【発明が解決しようとする課題】
しかしながら、上記従来の雑誌書籍類の整列装置には、以下のような問題があった。
【０００６】
即ち、雑誌や書籍類を仕分けする場合、雑誌や書籍に付けられたバーコードを読取装置で一つずつ確実に読取らせることが必要であるが、上記仕分けのためのシステムでは、例えば、写真週間誌のような極く薄い雑誌から専門書のような厚い書籍などまでを区別無くしかも多量に取扱っているので、雑誌や書籍類が一部又は全部重なり合った状態で切出された場合に、整列装置で雑誌や書籍類を一冊ずつに整列させることがきわめて難しく、整列装置で雑誌や書籍類が一部又は全部重なり合った状態のまま送られる、いわゆる「重送」を生じることが避けられなかった。
【０００７】
すると、重送によって重なり合った部分にバーコードが隠れるなどするので、読取装置でバーコードを読取れないという事態が生じ、仕分装置で仕分け不能となってしまう。
【０００８】
本発明は、上述の実情に鑑み、効果的に雑誌や書籍類の重送を防止し得るようにした雑誌書籍類の整列装置を提供することを目的とするものである。
【０００９】
【課題を解決するための手段】
本発明は、幅方向に対して傾斜した搬送面を有し、受取った雑誌や書籍類を搬送する受用搬送装置４を備えた雑誌書籍類の整列装置において、受用搬送装置４の出側に、重なった状態で送られてきた雑誌や書籍類の重なりを解除する雑誌書籍類重送解除装置３８を設けており、
当該雑誌書籍類重送解除装置３８が、雑誌や書籍類に停止力を付与するよう、ブラシ毛４６を下端に植設したブラシ本体４３を、整列装置１のフレームに固定された重送解除装置本体４１に回動中心ピン４２を介し上下方向に回動自在に枢支し、さらにブラシ本体４３上部と重送解除装置本体４１との間に、ブラシ本体４３を受用搬送装置４の上流側へ向かって下方回動するよう付勢する重送解除力調整用弾性体４４を介装する構成であり、
当該ブラシ本体４３が、下端部が下流側へ向くよう斜めに配設されて受用搬送装置４により搬送された雑誌や書籍類を斜め方向からブラシ毛４６で押えるように構成されたことを特徴とする雑誌書籍類の整列装置にかかるものである。
【００１１】
又、ブラシ毛４６が、受用搬送装置４の搬送面に対して、ブラシ本体４３の下方回動を規制するストッパ４５により非接触状態に配設されても良い。
【００１２】
又、ブラシ毛４６は、上流側の部分に毛足の短いものを使用して段差部４７を備えても良い。
【００１３】
又、受用搬送装置４に、下側の雑誌や書籍類を押す押部材を取付けるようにしても良い。
【００１４】
更に、受用搬送装置４をベルトコンベヤとし、押部材を受用搬送装置４のコンベヤベルト１１に所定の間隔を置いて突設形成した横棧４８としても良い。
【００１５】
上記手段によれば、以下のような作用が得られる。
【００１６】
切出されて来た雑誌や書籍類を、幅方向に対して傾斜した搬送面を有する受用搬送装置４で受取って下流側へ搬送するようにする。
【００１７】
そして、本発明では、受用搬送装置４の出側で、雑誌書籍類重送解除装置３８によって重なった状態で送られてきた雑誌や書籍類の重送を解除させるようにする。又、ブラシ本体４３を斜めに配設して雑誌や書籍類を斜め方向からブラシ毛４６で押えさせるようにすることにより、ブラシ本体４３を垂直に配設する場合に比べてより高い重送防止効果を得ることができる。更に、写真週間誌のような極く薄い雑誌から専門書のような厚い書籍などまで区別無くしかも多量に取扱う場合でも、効果的に雑誌や書籍類の重送を防止することができる。
【００１８】
ここで雑誌書籍類重送解除装置３８としてブラシ毛４６を使用することにより、ブラシ毛４６は、材質や、長さや、太さや、本数や、植毛の仕方などを自由に選択することができるので、又、コイルスプリングなどの重送解除力調整用弾性体４４によって停止力を自由に調整することができるので、雑誌や書籍類の引掛かり或いは詰まりによる装置の停止を引起こしたり、雑誌や書籍類に対して損傷を与えたりしない範囲で最大限の重送解除効果が出せるよう最適化することが、他の手段に比べて容易にできる。
【００１９】
ブラシ毛４６が所望の剛性を得られるよう全体として毛足がやや短めのものを使用し、又、上流側の部分に特に毛足の短いものを使用して段差（段差部４７）を付けるなどすることにより、高い重送解除能力を得ることができるようになる。
【００２０】
更に、ブラシ毛４６を受用搬送装置４のコンベヤベルト１１に対して接触させないように配置することにより、ブラシ毛４６の摩耗や変形を防止して、ブラシ毛４６の長寿命化を図ることが可能となる。
【００２１】
又、受用搬送装置４に、下側の雑誌や書籍類を押す押部材を取付けることによって、より効果的に重なった状態で送られてきた雑誌や書籍類の重送を解除させることができる。
【００２２】
特に、受用搬送装置４をベルトコンベヤとした場合、受用搬送装置４のコンベヤベルト１１に所定の間隔を置いて横棧４８を突設形成して、横棧４８で下側の雑誌や書籍類を押させるようにすることができる。
【００２３】
【発明の実施の形態】
以下、本発明の実施の形態を、図示例と共に説明する。
【００２４】
図１〜図４は、本発明の実施の形態の一例であり、図中、１は雑誌や書籍類を一冊ずつに整列させるための整列装置、２は整列された雑誌や書籍類に付けられたバーコードを読取るための読取装置、３は読取られたバーコードに従って雑誌や書籍類を仕分けするための仕分装置である。
【００２５】
そして、上記整列装置１は、図示しない切出装置などから雑誌や書籍類を受取るようにした受用搬送装置４と、受用搬送装置４よりも僅かに速い搬送速度を有する間隔拡大用搬送装置５と、間隔拡大用搬送装置５と同じ搬送速度を有するヒネリ式搬送装置６とによって構成されている。尚、間隔拡大用搬送装置５とヒネリ式搬送装置６との間などに必要に応じて中間の搬送装置を設けるようにしても良い。
【００２６】
上記受用搬送装置４は、図２に示すように、幅方向に対して傾斜した搬送面を有するベルトコンベヤであり、複数本のロール７〜１０と各ロール７〜１０間に掛け渡された無端状のコンベヤベルト１１と、ロール９と同軸上に配置されたシーブ１２、駆動用ベルト１３、シーブ１４を介してコンベヤベルト１１を駆動するモータなどの駆動装置１５と、傾斜したコンベヤベルト１１の下側部へ滑り落ちて来た雑誌や書籍の向きを整えるためのガイド１６とを備えている。
【００２７】
又、上記間隔拡大用搬送装置５は、受用搬送装置４と同様に、幅方向に対して傾斜した搬送面を有するベルトコンベヤであり、複数本のロール１７〜１９と各ロール１７〜１９間に掛け渡された無端状のコンベヤベルト２０を備え、更に、出側に設けられた光電管式の間隔検出器２１からの信号によって受用搬送装置４と共に一時的に停止され得るようになっている。尚、間隔拡大用搬送装置５には、傾斜したコンベヤベルト２０の下側部へ滑り落ちて来た雑誌や書籍の向きを整えるため、受用搬送装置４と同様の図示しないガイドを備えるようにする。
【００２８】
又、上記ヒネリ式搬送装置６は、上流側に、幅方向に対して傾斜したロール２２を有し、下流側に、水平なロール２３を有して、ロール２２，２３間に傾斜を戻すようにひねられた上面を形成するベルトコンベヤであり、複数本のロール２２〜２４と各ロール１９間に掛け渡された無端状のコンベヤベルト２５を備えている。
【００２９】
尚、受用搬送装置４と間隔拡大用搬送装置５とヒネリ式搬送装置６は、ベルトコンベヤに限るものではない。
【００３０】
更に、上記読取装置２は、間隔拡大用搬送装置５やヒネリ式搬送装置６と同じ搬送速度を有し、水平な上面を有するローラコンベヤであり、複数本のローラ２６を水平に配置してなるローラコンベヤ部２７と、複数本の摩擦駆動用ローラ２８などに掛け渡されてローラコンベヤ部２７の各ローラ２６の端部を下方から摩擦駆動するようにした駆動ベルト２９から成るベルト駆動部３０と、ローラコンベヤ部２７の上方と下方にそれぞれ配設されたバーコードスキャナなどの読取部３１，３２と、読取部３１，３２の上流側に設けられた読取開始用センサ部３３と、下流側に設けられた通過検出用センサ部３４とを備えている。
【００３１】
尚、３７はシーブ３５、ローラ３６を介して駆動ベルト２９を駆動するためのモータなどの駆動装置である。
【００３２】
前記仕分装置３は、特に詳細には図示しないが、読取装置２よりも僅かに速い搬送速度を有している。
【００３３】
そして、本発明では、受用搬送装置４の下流側部分に、雑誌書籍類重送解除装置３８を取付ける。
【００３４】
上記雑誌書籍類重送解除装置３８は、図３・図４に示すように、整列装置１のフレームにブラケット３９，４０を介して固定された重送解除装置本体４１と、重送解除装置本体４１内に幅方向へ延びる水平な回動中心ピン４２を介し中間部を中心として上下方向へ回動自在に枢支されたブラシ本体４３と、重送解除装置本体４１とブラシ本体４３上部との間に介装された、ブラシ本体４３を受用搬送装置４の上流側へ向かって下方回動するよう付勢するコイルスプリングなどの重送解除力調整用弾性体４４と、ブラシ本体４３の上記した下方回動を規制するストッパ４５と、ブラシ本体４３の下端に植毛されたブラシ毛４６とで構成されている。
【００３５】
尚、上記ストッパ４５は、ブラシ本体４３を垂直にした状態から、角度にして１５〜２５度ほど下流側へ傾斜した状態に保持し、且つ、それ以上、上流側へ向けて回動しないよう、ブラシ本体４３下端の下方回動を規制するようにしている。
【００３６】
又、ブラシ毛４６は、受用搬送装置４のコンベヤベルト１１に接触しないようにし、全体として毛足がやや短めのものを使用するようにし、且つ、上流側の部分に特に毛足の短いものを使用することにより段差（段差部４７）を付けるようにしている。
【００３７】
更に、受用搬送装置４のコンベヤベルト１１に、長手方向に所定の間隔をおいて幅方向へ延びる横棧４８などの押部材を突設形成する。尚、横棧４８などの押部材は、好ましくは、高さ２ｍｍ程度の低いものを４５０ｍｍ程度の間隔でコンベヤベルト１１に設けるようにする。
【００３８】
次に、作動について説明する。
【００３９】
先ず、仕分け作業の全体の流れは、図示しない切出装置などから切出された雑誌や書籍類を整列装置１で受取り、受取った雑誌や書籍類を整列装置１が一冊ずつに整列し、整列装置１によって整列された雑誌や書籍類を読取装置２へ送って、読取装置２で雑誌や書籍類に付けられたバーコードを読取り、バーコードを読取られた雑誌や書籍類を仕分装置３へ送って、仕分装置３がバーコードの情報に従って雑誌や書籍類を仕分けするようになっている。尚、雑誌や書籍類の切出しは、切出装置を使う代りに人間が手作業で行うようにしても良い。
【００４０】
そして、上記整列装置１は、受用搬送装置４と、間隔拡大用搬送装置５と、ヒネリ式搬送装置６とで主に構成されており、先ず、受用搬送装置４は、以下のように作動する。
【００４１】
即ち、モータなどの駆動装置１５を駆動すると、シーブ１４、駆動用ベルト１３、シーブ１２を介してロール９へ駆動力が伝えられ、ロール９を介してコンベヤベルト１１が摩擦駆動され、複数本のロール７〜１０によって形成される無限軌道上をコンベヤベルト１１が移動することにより、上流側で図示しない切出装置や人などから雑誌や書籍を受取って下流側の間隔拡大用搬送装置５へ搬送する。
【００４２】
この際、受用搬送装置４は、幅方向に対して傾斜した搬送面を有するベルトコンベヤであるため、幅方向に対して傾斜した搬送面によって、雑誌や書籍を下側へ向けて滑り落とさせ、下側部へ滑り落ちた雑誌や書籍をガイド１６で受けることにより、ガイド１６で雑誌や書籍の向きを整えさせるようにしている。
【００４３】
こうして受用搬送装置４で向きを整えられて送られてきた雑誌や書籍は、下流側の間隔拡大用搬送装置５へと送られる。
【００４４】
次に、間隔拡大用搬送装置５は、幅方向に対して傾斜した搬送面を有するベルトコンベヤであり、複数本のロール１７〜１９によって形成される無限軌道上をコンベヤベルト２０が移動することにより、上流側で受用搬送装置４から雑誌や書籍を受取って下流側のヒネリ式搬送装置６へ搬送するが、この際、間隔拡大用搬送装置５は、受用搬送装置４よりも僅かに速い搬送速度で雑誌や書籍類を送らせるようにしているので、受用搬送装置４から受取る時に、後行の雑誌や書籍との間隔が引離される。
【００４５】
こうして、間隔拡大用搬送装置５で相互間の間隔を開かれた雑誌や書籍は、下流のヒネリ式搬送装置６へと送られる。
【００４６】
そして、間隔拡大用搬送装置５からヒネリ式搬送装置６への雑誌や書籍の受渡しの際に、間隔拡大用搬送装置５の出側に設けられた光電管式の間隔検出器２１によって先行する雑誌や書籍と後行の雑誌や書籍との間の間隔を検出し、先行と後行の雑誌や書籍間の間隔がまだ狭い場合には、間隔検出器２１からの信号によって、一時的に間隔拡大用搬送装置５と受用搬送装置４を停止させるようにする。これにより、ヒネリ式搬送装置６へ送られた先行する雑誌や書籍と、間隔拡大用搬送装置５上の後行の雑誌や書籍との間隔がより大きくなる。
【００４７】
又、上記ヒネリ式搬送装置６は、コンベヤベルト２５が複数本のロール２２〜２４によって形成される無限軌道上を移動して、上流側で間隔拡大用搬送装置５から雑誌や書籍を受取って下流側の読取装置２へ搬送するが、上流側に、幅方向に対して傾斜したロール２２を有し、下流側に、水平なロール２３を有するので、搬送中に雑誌や書籍が受用搬送装置４や間隔拡大用搬送装置５と同様の傾斜状態から水平状態に戻されて、上面が水平状態の読取装置２へとスムースに受渡されることとなる。
【００４８】
こうしてヒネリ式搬送装置６で水平に戻された雑誌や書籍は、読取装置２へ送られる。
【００４９】
読取装置２は、先ず、ベルト駆動部３０を構成するモータなどの駆動装置３７を駆動すると、シーブ３５を介してローラ３６へ駆動力が伝えられ、ローラ３６を介して駆動ベルト２９が摩擦駆動され、駆動ベルト２９がローラ３６及び複数本の摩擦駆動用ローラ２８によって形成される無限軌道上を移動し、駆動ベルト２９がローラコンベヤ部２７を構成する各ローラ２６の端部を下方から摩擦駆動し、ローラコンベヤ部２７によって上流側でヒネリ式搬送装置６から雑誌や書籍を受取って下流側の仕分装置３へ搬送する。
【００５０】
そして、送っている雑誌や書籍を読取開始用センサ部３３で検知すると、ローラコンベヤ部２７の上方と下方にそれぞれ配設されたバーコードスキャナなどの読取部３１，３２が作動して、読取部３１，３２がローラ２６の間から雑誌や書籍に付けられたバーコードを読取る。尚、読取部３１，３２を上下に配設することにより、バーコードが雑誌や書籍の上面又は下面のどちらに付いていても支障なく検出できるようにしている。
【００５１】
こうしてバーコードを読取られた雑誌や書籍類が、下流側に設けられた通過検出用センサ部３４で検知されると、仕分装置３が、読取ったバーコードの情報に従って入ってきた雑誌や書籍類の仕分けを行う。
【００５２】
上記作動は、雑誌や書籍類が一冊ずつ順番に整列装置１へ切出されて来る場合には、うまく機能するが、実際には、写真週間誌のような極く薄い雑誌から専門書のような厚い書籍などまでを区別無くしかも多量に取扱っているので、図示しない切出装置や人手によって切出しが行われるときに、雑誌や書籍類が一部又は全部重なり合った状態で切出されることが避けられない。
【００５３】
すると、整列装置１で重送が解消されない限り、重送によって重なり合った部分にバーコードが隠れるなどして、読取装置でバーコードを読取れない事態が生じ、仕分け不能となってしまうこととなるので、整列装置１で確実に重送を解消させるようにする必要がある。
【００５４】
そこで、本発明では、受用搬送装置４の下流側の部分に、雑誌書籍類重送解除装置３８などを取付けて、重送を解消させるようにしている。
【００５５】
即ち、先ず、或る雑誌や書籍類の上に別の雑誌や書籍類が乗った状態で切出された場合、上下の雑誌や書籍類は、整列装置１の受用搬送装置４出側に設けられた雑誌書籍類重送解除装置３８のブラシ本体４３下端のブラシ毛４６に引掛かることになる。
【００５６】
この状態では、下側になっている雑誌や書籍類は、コンベヤベルト１１との接触面積が大きいためコンベヤベルト１１からの駆動力を大きく受け、且つ、下側であるためブラシ毛４６による停止作用を余り強く受けないので進もうとする傾向が強く、反対に、上側になっている雑誌や書籍類は、コンベヤベルト１１との接触面積が比較的小さく或いは全くないためコンベヤベルト１１からの駆動力を余り大きく受けず、且つ、上側であるためブラシ毛４６による停止作用を下側の先行する雑誌や書籍類よりも強く受けるので、停止しようとする傾向が強い。
【００５７】
従って、ほとんどの場合、この段階で、上側の雑誌や書籍類が停止されて下側となっている雑誌や書籍類が先に送られ、下側となっている雑誌や書籍類が送られると、上側となっていた雑誌や書籍類がコンベヤベルト１１上に落ちて後から送られることとなるので、重送状態が解消される。尚、この段階では、上下の雑誌や書籍類が切り離されるだけであるが、その後、前述したようにして、先行する雑誌や書籍類と後行の雑誌や書籍類の間隔が大きくされて行く。
【００５８】
しかし、極く薄い雑誌が重送されているような場合には、ブラシ毛４６による停止作用が上下の雑誌や書籍類に同時に強く作用するため、下側となっている雑誌や書籍類がコンベヤベルト１１上を滑ってしまい進めなくなることがある。そこで、受用搬送装置４のコンベヤベルト１１に長手方向に所定の間隔をおいて幅方向へ延びる横棧４８などの押部材を設けて、横棧４８などの押部材が移動して来た時に、横棧４８などの押部材に下側になっている雑誌や書籍類の後端部を強制的に押させるようにして、下側となっている雑誌や書籍類のみを横棧４８などの押部材によって送らせるようにする。これにより、前記と同様にして重送状態が解消される。尚、雑誌や書籍類が重送でない状態、即ち、一冊ずつに分れて搬送されて来た場合でも、ブラシ毛４６によって停止されてしまうようなことが生じ得るが、この場合にも、横棧４８などの押部材が移動して来た時に、横棧４８などの押部材によって雑誌や書籍類の後端部が強制的に押されることにより、雑誌や書籍類の詰まりが防止されることとなる。
【００５９】
尚、ブラシ本体４３は、コイルスプリングなどの重送解除力調整用弾性体４４によって弾性的に支持されているので、雑誌や書籍類の厚い薄いに拘らず、ほぼ一様な停止力を作用させることができる。又、ブラシ本体４３は、下流側へ回動可能となっているので、厚い書籍でも支障なく通過させることが可能である。
【００６０】
又、ブラシ本体４３を斜めに配設して雑誌や書籍類を斜め方向からブラシ毛４６で押えさせるようにすることにより、ブラシ本体４３を垂直に配設する場合に比べてより高い重送防止効果を得ることができる。
【００６１】
更に、ブラシ毛４６を受用搬送装置４のコンベヤベルト１１に対して接触させないように配置することにより、ブラシ毛４６の摩耗や変形を防止して、ブラシ毛４６の長寿命化を図ることが可能となる。
【００６２】
更に又、雑誌書籍類重送解除装置３８としてブラシ毛４６を使用することにより、ブラシ毛４６は、材質や、長さや、太さや、本数や、植毛の仕方などを自由に選択することができるので、又、コイルスプリングなどの重送解除力調整用弾性体４４によって停止力を自由に調整することができるので、雑誌や書籍類の引掛かり或いは詰まりによる装置の停止を引起こしたり、雑誌や書籍類に対して損傷を与えたりしない範囲で最大限の重送解除効果が出せるよう最適化することが、他の手段に比べて容易にできる。
【００６３】
例えば、ブラシ毛４６が所望の剛性を得られるよう全体として毛足がやや短めのものを使用し、又、上流側の部分に特に毛足の短いものを使用して段差（段差部４７）を付けるなどすることにより、高い重送解除能力を得ることができるようになる。
【００６４】
尚、本発明は、上述の実施の形態にのみ限定されるものではなく、本発明の要旨を逸脱しない範囲内において種々変更を加え得ることは勿論である。
【００６５】
【発明の効果】
以上説明したように、本発明の雑誌書籍類の整列装置によれば、効果的に雑誌や書籍類の重送を防止することができるという優れた効果を奏し得る。
【図面の簡単な説明】
【図１】  本発明の実施の形態の一例の概略全体側面図である。
【図２】  図１のＩＩ−ＩＩ矢視図である。
【図３】  図１の部分拡大図である。
【図４】  図３のＩＶ−ＩＶ矢視図である。
【符号の説明】
１    整列装置
４    受用搬送装置
１１  コンベヤベルト
３８  雑誌書籍類重送解除装置
４１  重送解除装置本体
４２  回動中心ピン
４３  ブラシ本体
４４  重送解除力調整用弾性体
４５ ストッパ
４６  ブラシ毛
４７  段差部
４８  横棧（押部材）
【図１】
0003996967.tif 000002
【図２】
0003996967.tif 000003
【図３】
0003996967.tif 000004
【図４】
0003996967.tif 000005